(57)【要約】【課題】クリーニング品に存する各種の染み抜きの特殊処理が依頼されたときの染み抜き範囲の大小・広狭等を簡単に計測でき、それに基づく染み抜き料金の算出も容易にし、受付業務の迅速化、料金支払い時に生じ得るトラブルの解消も可能とする。【解決手段】クリーニング品における染み抜き部分に宛がわれるシート材製の判定具本体１に、染み抜き部分を所定の大きさエリアの単位の適数によって表示させる染み抜き域大小判定部２を設ける。染み抜き域大小判定部２は、単位大きさに相当する大きさで開口した複数の判定孔３を配列することで形成し、判定孔３はほぼ正方形状を呈していて、縦横方向に複数で配列形成してある。また、染み抜き域大小判定部２は、透視性ある判定具本体１に、単位大きさに相当する大きさで囲繞された判定囲繞線を表示して成るものともできる。【選択図】図１
0003139105.tif 000002
【実用新案登録請求の範囲】
【請求項１】
クリーニング品における染み抜き部分に宛がわれるシート材製の判定具本体に、染み抜き部分を所定の大きさエリアの単位の適数によって表示させる染み抜き域大小判定部を設けたことを特徴とするクリーニング品における染み抜き域の大きさ判定具。
【請求項２】
染み抜き域大小判定部は、単位大きさに相当する大きさで開口した複数の判定孔を配列することで形成してある請求項１に記載のクリーニング品における染み抜き域の大きさ判定具。
【請求項３】
判定孔はほぼ正方形状を呈していて、縦横方向に複数で配列形成してある請求項２に記載のクリーニング品における染み抜き域の大きさ判定具。
【請求項４】
染み抜き域大小判定部は、透視性ある判定具本体に、単位大きさに相当する大きさで囲繞区画された判定囲繞線を表示して成る請求項１に記載のクリーニング品における染み抜き域の大きさ判定具。
【考案の詳細な説明】
【技術分野】
【０００１】
この考案は主としてクリーニング取次店その他でクリーニング品（洗濯物）のクリーニングを受け付けるとき、クリーニング品に存する染み抜きが必要な部位における染み抜き域の大小を判定し、その大小によって異なる染み抜き料金が明らかになるようにしたクリーニング品における染み抜き域の大きさ判定具に関する。
【背景技術】
【０００２】
クリーニング品の授受を取り次ぐクリーニング取次店においては、従来から、クリーニング品の衣服類の種別によって設定されている料金が異なることから、その種別、受付日、仕上がり日、顧客名その他を記録し、これらを明らかにしてある引換伝票等によってクリーニング品の授受を行っている。また受け付けるに際し、特別な処理が必要な場合、例えば染み抜きが必要な場合には、その部位、範囲、染みの原因等を確認し、クリーニング工場における染み抜き作業の作業員に対する染み抜きの指示が明らかになるようにしている。
【０００３】
こうした観点から、従来、染み抜き処理を含めた特殊作業の要否、具体的な作業内容等が顧客とクリーニング工場における作業員との間で齟齬が生じないように一連の処理を明確にする幾つかのクリーニングシステムが提案されている。すなわち、クリーニング業種向けＰＯＳシステムである特許文献１、クリーニング店用案内装置、クリーニング店用案内システム、クリーニング店用案内方法及び記憶媒体である特許文献２、クリーニングの品質管理システム及びクリーニングの品質管理装置である特許文献３、クリーニング処理システムである特許文献４等である。
【特許文献１】特開平１０−２５５１６６号公報
【特許文献２】特開２００１−１８４５６５号公報
【特許文献３】特開２００２−１１３００号公報
【特許文献４】特開２００３−４４５８０号公報
【考案の開示】
【考案が解決しようとする課題】
【０００４】
これらの従来の特許文献等によるクリーニングシステムは、クリーニング品の受付時に通常のクリーニングとは異なっていたり、追加処理されたりするときの特殊作業等の確認もできるようになっていても、その特殊作業が例えば染み抜き処理の場合であれば、その部位、染み発生原因等に基づく染み抜き作業の内容等を事前に明確にしておくにすぎない。ただ、染み抜き処理は、その範囲の大小・広狭によって料金が異なることが多いにもかかわらず、受付時にそれが明確にならないために、場合によっては後日に料金上のトラブルが生じることがある。すなわち、染み抜き範囲の大小・広狭は、染みが生じたときの状況によって種々な範囲域・形状・連続あるいは非連続形態等となっているから、その面積を計測するのは簡単ではなく、計測方法によっては差異が生じ、また受付者・顧客相互間で確認を怠る等で処理料金の支払い時等に問題が生じるのである。これは前払い方式で受け付けるときにも同様であり、染み抜きの範囲の大小・広狭を可能な限り明確にし、適正な料金を算出できるようにすることが望まれるのである。
【０００５】
そこでこの考案は叙上のような従来存した諸事情に鑑み案出されたもので、クリーニング品の受付時等でクリーニング品に存する各種の染み抜きの特殊処理が依頼されたとき、その染み抜き範囲の大小等を簡単に計測でき、またそれに基づく染み抜き料金の算出も容易にし、受付業務の迅速化、料金支払い時に生じ得るトラブルの解消も可能なクリーニング品における染み抜き域の大きさ判定具を提供することを目的とする。
【課題を解決するための手段】
【０００６】
上述した課題を解決するため、この考案にあっては、クリーニング品Ｃにおける染み抜き部分に宛がわれるシート材製の判定具本体１に、染み抜き部分を所定の大きさエリアの単位の適数によって表示させる染み抜き域大小判定部２を設けたことを特徴とする。
染み抜き域大小判定部２は、単位大きさに相当する大きさで開口した複数の判定孔３を配列することで形成することができ、判定孔３はほぼ正方形状を呈していて、縦横方向に複数で配列形成してあることで構成できる。
また、染み抜き域大小判定部２は、透視性ある判定具本体１に、単位大きさに相当する大きさで囲繞区画された判定囲繞線４を表示して成ることで構成することができる。
【０００７】
以上のように構成されたこの考案に係るクリーニング品における染み抜き域の大きさ判定具にあって、例えばクリーニング品Ｃの受付時に染み抜き処理の特殊作業の依頼がある場合、染み抜き部分に判定具本体１の染み抜き域大小判定部２を宛がうことで、染み抜き部分の大小・広狭の大きさ等を判定させる。
大きさ等の判定に際し、染み抜き部分を占める染み抜き域大小判定部２における孔状の判定孔３あるいは区画されている判定囲繞線４の数によって染み抜き部分の大きさをほぼ数値的に明確にさせ、これに対応している作業料金を特殊作業料金として設定すればよいものとさせる。
【考案の効果】
【０００８】
この考案は以上説明したように構成されているため、クリーニング品Ｃの受付時等でクリーニング品Ｃに存する各種の染み抜きの特殊処理が依頼されたとき、その染み抜き範囲の大小等を染み抜き域大小判定部２を宛がうことで簡単に計測でき、また判定孔３あるい判定囲繞線４の数に基づき染み抜き料金を容易に算出できる。そのため、受付業務の迅速化、料金支払い時に生じ得るトラブル等の解消も可能である等の優れた実用的効果を奏する。
【０００９】
すなわちこれは、この考案において、クリーニング品Ｃにおける染み抜き部分に宛がわれるシート材製の判定具本体１に、染み抜き部分を所定の大きさエリアの単位の適数によって表示させる染み抜き域大小判定部２を設けたからであり、染み抜き部分の大小等による染み抜きの特殊作業の料金設定を簡易迅速に行える。
【００１０】
また、染み抜き域大小判定部２は、単位大きさに相当する大きさで開口した複数の判定孔３を配列してあるから、染み抜き部分が占める判定孔３の数によってその大小の大きさをほぼ数値的に明確にでき、大小等によって異なる作業料金の設定を迅速、簡単に算出できる。しかも、判定孔３は、ほぼ正方形状を呈していて、縦横方向に複数で配列形成してあることで、染み抜き部分の形態が種々に異なっていても、これに対応する染み抜き部分が占める判定孔３の数を数えるにも不都合がなく、明確に把握できる。
【００１１】
あるいは透視性ある判定具本体１に、単位大きさに相当する大きさで囲繞区画された判定囲繞線４を表示して成る染み抜き域大小判定部２によれば、判定具本体１を染み抜き部分に宛がうとき、染み抜き部分をその周縁の汚損状況をも含めた全体で観察確認でき、必要とする染み抜き部分を見落とすことがない。また染み抜き部分に判定具本体１を宛がうとき、染み抜き部分の周辺状況を同時に観察しながら行えるから、染み抜き部分に判定具本体１ひいては染み抜き域大小判定部２を正確に宛がうことができる利点もある。
【００１２】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【考案を実施するための最良の形態】
【００１３】
以下図面を参照してこの考案を実施するための最良の一形態を説明すると、図において示される符号１は染み抜き部分の範囲の大小・広狭等を一覧で視覚的に検出・判定できるシート状の判定具本体である。この判定具本体１は、少なくとも、染み抜き処理を必要とするクリーニング品Ｃ例えば衣料における染みが存在する部位の汚損部分を、望ましくはその全域を覆う程度の大きさに形成された適宜肉厚のシート材例えば厚紙・合成樹脂製シート等によって形成されている。図示にあっての判定具本体１は、所定の横幅と縦幅とを有する平面矩形状を呈し、例えば横幅が１５０ｍｍ、縦幅が２１５ｍｍ程度の大きさとなっている矩形状を呈する。もとより、これらの幅員長さは図示例に限定されるものではないのは勿論であり、また外形も矩形状に限らず、円形、楕円形、三角形等の他の形状とすることも可能である。
【００１４】
また、この判定具本体１には、染み抜き部分を所定の大きさエリアの単位の適数によって表示させる染み抜き域大小判定部２を設けてある。図１、図２に示された染み抜き域大小判定部２は、開口された多数の判定孔３が例えば横方向、縦方向で整列させることで升目状に配列されることで形成されており、染み抜き部分に宛がうことで、染み抜き部分の大小・広狭等を、この判定孔３を介して覗くことができる判定孔３数の多寡によって染み抜き料金を設定できるようにしてある。すなわち、染み抜き部分の全域に宛がわれることで覗くことができる判定孔３数に対応して染み抜き料金が予め設定されているものとして使用される。尚、判定孔３は判定具本体１を刳り貫き状に開口形成することで配列されており、判定孔３相互を区画している非連続部分は可能な限り小さく、細幅とされる。また、その配列が縦横方向であるとき、その数を容易に判断できるように列・行の番数を染み抜き域大小判定部２の周縁位置で判定孔３に関連して表示しておいてもよい。
【００１５】
染み抜き域大小判定部２における判定孔３自体の開口形状は特に限定されるものではなく、図示のように隅部が丸味を帯びている例えば一辺の長さが２５ｍｍ程度の正方形状である場合に限らず、例えば円形状、正六角形状その他としても良い。もとより、判定孔３が正方形状でない場合の判定孔３の配列形態は縦横の方向とはならずに斜行配列となることもあり、いずれにしても染み抜きを必要とする染み抜き部分の大小等が、判定孔３の数の算出によって判定できれば良く、判定孔３の形状、大小、配列方向等は任意に設定できる。ただ、判定孔３自体は正方形、真円形、正六角形等であることで、判定具本体１自体の縦横の使用方向を特に限定することなく使用して算出できる利点がある。
【００１６】
尚、図示を省略したが、判定具本体１自体を透明な透視性がある素材によって形成することもでき、この場合には染み抜き域大小判定部２において開口形成した判定孔３の周縁は着色する等で縁取りを際立たせておくことが望ましい。
【００１７】
また、判定具本体１には、例えば料金表、使用例説明等が表記されている表示具体５が例えば判定具本体１に対して折り畳み可能シート状にして連設されている。この表示具体５は図示例のように、判定具本体１と同様に適宜肉厚のシート材例えば厚紙・合成樹脂製シート等によって形成されており、染み抜き部分に宛がわれる染み抜き域大小判定部２の判定孔３数によって染み抜き処理料金が算出されるとき、染み抜き域大小判定部２における判定孔３の数と処理料金との対応を表示している料金表６、使用方法の概略・料金算出方法等を説明している説明欄７等を配してある。
【００１８】
図示にあっての料金表６は、クリーニング品Ｃに存する染み部分に判定具本体１を宛がったとき、染み部分の大小・広狭に対応して占める染み抜き域大小判定部２の判定孔３数を例えば「マド数」として、これに対応する染み抜き処理に要する特殊処理作業料金を例えば「シミ抜き料金」として表示した表形式のものとしてある。尚、作業料金はこの考案大きさ判定具を使用する業者によって任意に選定し、表示できるのは勿論である。
【００１９】
次にこれの使用の一例を説明する。図２に示すようにクリーニング品Ｃのクリーニングを受け付けるに際し、染み抜きの特殊処理も依頼されたとき、染み抜き部分に判定具本体１を宛がい、その大小・広狭によって占める染み抜き域大小判定部２における判定孔３の孔数を数え、この孔数に対応する料金を例えば料金表６から読み取れば良い。また、染み抜き部分が複数箇所であれば、同様に算出して合計すれば良い。
【００２０】
また、図３にあっては他の実施の形態が示されている。すなわち、判定具本体１自体を透明な透視性がある素材によって形成すると共に、孔状の判定孔３に代え、染み抜き単位の大きさとなるように所定形状で囲繞区画させた染み抜き判定域を例えば方形枠状の判定囲繞線４によって、これを縦横方向に沿って所定の複数で配列表示して形成したものである。こうすることで、染み抜き部分の大小・広狭を一層正確に確認でき、また染み抜き部分に宛がうとき、染み抜き域大小判定部２外方にも拡がっていることがある染み抜き部分の大小等の判定をも可能にする。尚、判定囲繞線４は升目状に隣接するもの同士が共通の区画線を有していても、僅かな空隙幅を設定して隣接表示されるも、いずれであっても差し支えない。
【図面の簡単な説明】
【００２１】
【図１】この考案を実施するための最良の形態を示す展開平面図である。
【図２】同じく使用状態の斜視図である。
【図３】同じく他の実施の形態における要部の平面図である。
【符号の説明】
【００２２】
Ｃ…クリーニング品
１…判定具本体                          ２…染み抜き域大小判定部
３…判定孔                              ４…判定囲繞線
５…表示具体                            ６…料金表
７…説明欄
【図１】
0003139105.tif 000003
【図２】
0003139105.tif 000004
【図３】
0003139105.tif 000005